(57)【要約】【課題】  本体と中継装置とを実質的に一つの製品として扱うことが可能な電波修正時計を提供する。【解決手段】  １台の電波修正時計１０を使用しても、電波修正時計１０本体を所望の場所に設置し、標準電波の受信状況により本体と着脱自在な変換装置１の設置場所を適宜変更することにより、電波修正時計１０本体を正確に時刻修正することが可能となる。【選択図】  図１
2008196986.tif 000002
【特許請求の範囲】
【請求項１】
時刻情報を重畳した第１の電波を受信して前記時刻情報を取得して時刻修正を行う電波修正時計であって、
前記第１の電波を受信して得られた前記時刻情報を前記第１の電波とは異なる周波数の第２の電波に重畳して送信する変換装置と、
前記変換装置から送信される前記第２の電波を受信して前記時刻情報を取得する受信装置と
を備え、
前記変換装置は、前記電波修正時計本体と着脱自在であり、前記電波修正時計本体に装着されているときには取得した前記時刻情報を前記電波修正時計本体の時刻修正部に出力し、前記電波修正時計本体に装着されていないときに前記時刻情報を前記第１の電波とは異なる周波数の第２の電波に重畳して送信するものであり、
前記受信装置は、前記変換装置が前記電波修正時計本体に装着されていないときに動作し、前記第２の電波を受信して取得した前記時刻情報を前記時刻修正部に出力するものであり、
前記時刻修正部は、前記変換装置が前記電波修正時計本体に装着されているときに前記変換装置から出力される前記時刻情報に基づき前記電波修正時計の計時する時刻を修正し、前記変換装置が前記電波修正時計本体に装着されていないときに前記受信装置から出力される前記時刻情報に基づき前記電波修正時計の計時する時刻を修正するものである
ことを特徴とする電波修正時計。
【請求項２】
前記電波修正時計本体に装着された前記変換装置は、前記時刻情報を取得できないときに受信不能信号を前記電波修正時計本体に出力するものであり、
前記受信不能信号を受けたときに前記変換装置から出力された前記時刻情報を取得できないことを示す表示部を備えた
ことを特徴とする請求項１に記載の電波修正時計。
【請求項３】
表示部を備え、前記変換装置から出力された前記時刻情報により修正された時刻が計時されているのか、前記受信装置から出力された前記時刻情報により修正された時刻が計時されているのかを前記表示部に表示する
ことを特徴とする請求項１又は２に記載の電波修正時計。
【請求項４】
前記変換装置は、前記電波修正時計本体に装着されているときに前記電波修正時計の本体から電源供給を受け、前記変換装置が前記電波修正時計本体に装着されていないときには、当該変換装置に着脱自在の電源供給装置から電源供給を受ける
ことを特徴とする請求項１乃至３のいずれか１項に記載の電波修正時計。
【請求項５】
前記変換装置は、設定に応じて、前記変換装置が前記電波修正時計本体に装着されているときにも、前記時刻情報を前記第１の電波とは異なる周波数の第２の電波に重畳して送信する
ことを特徴とする請求項１乃至４のいずれか１項に記載の電波修正時計。
【発明の詳細な説明】
【技術分野】
【０００１】
本発明は電波に重畳された時刻情報を取得して時刻修正を行う電波修正時計に関し、特に時刻情報を直接又は間接的に取得する電波修正時計に関するものである。
【背景技術】
【０００２】
現在、独立行政法人情報通信研究機構により長波帯標準電波(以下、標準電波という)に重畳して日本標準時を含む時刻情報が提供され、この標準電波を直接受信し時刻情報を取得して時刻修正を行う電波修正時計が市販されている。
【０００３】
また、電波修正時計には、特許文献１に開示されるもののように、標準電波の時刻情報により日本標準時と同期させた自己の時刻に基づく時刻情報を標準電波とは異なる周波数の電波に重畳して送信するものがある。この電波修正時計は、標準電波を受信できない場所に設置された他の時計に、標準時に同期した時刻を表す時刻情報を中継するものである。この電波修正時計は、通常の電波修正機能、すなわち、標準電波を受信して取得した時刻情報により自己の計時する時刻を修正する機能に加えて、標準電波を独自のフォーマットの時刻情報を重畳した電波に変換する変換装置ともいえる構成を付加したものとなっている。他の時計については、通常の電波修正時計の時刻修正機能を実現する構成の内、標準電波を受信して時刻情報を取得する受信装置を、独自のフォーマットの時刻情報を重畳した電波を受信して時刻情報を取得する受信装置に置換した電波修正時計となっている。
【特許文献１】特開２００５−２５７４８４号公報
【発明の開示】
【発明が解決しようとする課題】
【０００４】
通常の電波修正時計を使用しようとしても目的の設置場所が標準電波の受信が困難な場所であれば、設置場所を変更するか、電波修正機能を活かした使用を断念しなくてはならない。
【０００５】
また、標準電波を受信できないような場所に電波修正時計を設置して使用したいという要請については、上述の独自のフォーマットの時刻情報を重畳した電波を送信する変換装置を備えた電波修正時計を標準電波が受信できる場所に設置し、変換装置から送信される電波が届く範囲にこれに対応した電波修正時計を設置することも考えられる。この場合、使用者は変換装置を備えた電波修正時計と、これに対応する電波修正時計とを別途購入することとなり、煩雑である。
【０００６】
また、製造者としても、通常の電波修正時計と、変換装置を備えた電波修正時計と、これと対応する電波修正時計との３種類の電波修正時計を用意し、それぞれに使用者のもとめるデザインの多様性に答える品揃えを維持することは、製造及び在庫管理の面で煩雑となる。
【０００７】
そこで、本発明の目的は、標準電波等の時刻情報を重畳した電波を受信できないような場所に設置しても標準電波を直接受信して時刻修正を行う電波修正時計に準ずる機能を備え、実質的に一つの製品として扱うことが可能な電波修正時計を提供することにある。
【課題を解決するための手段】
【０００８】
上記目的を達成するため、本発明の電波修正時計は、
時刻情報を重畳した第１の電波を受信して前記時刻情報を取得して時刻修正を行う電波修正時計であって、
前記第１の電波を受信して得られた前記時刻情報を前記第１の電波とは異なる周波数の第２の電波に重畳して送信する変換装置と、
前記変換装置から送信される前記第２の電波を受信して前記時刻情報を取得する受信装置と
を備え、
前記変換装置は、前記電波修正時計本体と着脱自在であり、前記電波修正時計本体に装着されているときには取得した前記時刻情報を前記電波修正時計本体の時刻修正部に出力し、前記電波修正時計本体に装着されていないときに前記時刻情報を前記第１の電波とは異なる周波数の第２の電波に重畳して送信するものであり、
前記受信装置は、前記変換装置が前記電波修正時計本体に装着されていないときに動作し、前記第２の電波を受信して取得した前記時刻情報を前記時刻修正部に出力するものであり、
前記時刻修正部は、前記変換装置が前記電波修正時計本体に装着されているときに前記変換装置から出力される前記時刻情報に基づき前記電波修正時計の計時する時刻を修正し、前記変換装置が前記電波修正時計本体に装着されていないときに前記受信装置から出力される前記時刻情報に基づき前記電波修正時計の計時する時刻を修正するものである
ことを特徴とする。
【０００９】
前記電波修正時計本体に装着された前記変換装置は、前記時刻情報を取得できないときに受信不能信号を前記電波修正時計本体に出力するものであり、前記受信不能信号を受けたときに前記変換装置から出力された前記時刻情報を取得できないことを示す表示部を備えることが好ましい。
【００１０】
表示部を備え、前記変換装置から出力された前記時刻情報により修正された時刻が計時されているのか、前記受信装置から出力された前記時刻情報により修正された時刻が計時されているのかを前記表示部に表示することも好ましい。
【００１１】
前記変換装置は、前記電波修正時計本体に装着されているときに前記電波修正時計の本体から電源供給を受け、前記変換装置が前記電波修正時計本体に装着されていないときには、当該変換装置に着脱自在の電源供給装置から電源供給を受けることも好ましい。
【００１２】
前記変換装置は、設定に応じて、前記変換装置が前記電波修正時計本体に装着されているときにも、前記時刻情報を前記第１の電波とは異なる周波数の第２の電波に重畳して送信することも好ましい。
【発明の効果】
【００１３】
本発明の電波修正時計によれば、標準電波等の時刻情報を重畳した電波を受信できないような場所に設置しても標準電波を直接受信して時刻修正を行う電波修正時計に準ずる機能を備え、実質的に一つの製品として扱うことが可能となる。
【発明を実施するための最良の形態】
【００１４】
以下、本発明の好適な実施の形態を図面を参照して説明する。
【００１５】
図１は、この発明の実施形態に適用される電波修正時計１０の回路構成を示すブロック図である。電波修正時計１０は、変換装置１と、時計部２とからなる。電波修正時計１０の本体には、時計部２が設けられ、変換装置１は本体に着脱自在に構成される。
【００１６】
変換装置１は、ＶＬＦ（Very Low Frequency）受信ブロック１ａと、ＣＰＵ（Central Processing Unit）１ｂと、無線送信ブロック１ｃと、コネクタ１ｄと、バックアップ電源装置１ｅと、操作部１ｆと、からなる。
【００１７】
時計部２は、時計機械体２ａと、ＣＰＵ２ｂと、無線受信ブロック２ｃと、コネクタ２ｄと、電源装置２ｅと、操作部２ｆと、表示部２ｇと、からなる。
【００１８】
ＶＬＦ受信ブロック１ａは、標準電波を受信し、復調して得た受信データをＣＰＵ１ｂに出力する。本発明は、ＶＬＦ受信ブロック１ａに限らず、標準電波に限らず時刻情報を重畳した電波、例えば、米国のＷＷＶＢ等を受信可能な受信装置を備えるような構成であればよい。
【００１９】
ＣＰＵ１ｂは、変換装置１に備えられた図示しないＲＯＭ（Read Only Memory）及びＲＡＭ（Random Access Memory）と協働して、変換装置１全体の制御を司る。ＣＰＵ１ｂは、受信データを処理して標準電波に重畳されていた時刻情報を特定し、取得する。ＣＰＵ１ｂは、変換装置１が電波修正時計１０の本体に装着されているときには所得した時刻情報を時計部２のＣＰＵ２ｂに出力する。また、ＣＰＵ１ｂは、所得した時刻情報を用いて、変換装置１に自己の内部時計として備えられた図示しないＲＴＣ（Real Time Clock）の計時する時刻を日本標準時に同期させる。また、ＣＰＵ１ｂは、後述するコネクタ１ｄに備えられた信号線の状態を監視して変換装置１が電波修正時計１０の本体に装着されているか否かを監視する。
【００２０】
無線送信ブロック１ｃは、ＣＰＵ１ｂの指令を受けると、変換装置１の内部時計の計時する時刻に基づく時刻情報を独自のフォーマットの時刻データにより４２６ＭＨｚ等の特定小電力無線の高周波数帯の電波で送信する。なお、本発明は、特定小電力無線に限らず、無線送信ブロック１ｃは、利用可能な周波数帯の電波に時刻データを重畳するものであればよい。
【００２１】
コネクタ１ｄは、変換装置１が電波修正時計１０の本体に装着されているときにコネクタ２ｄと結合される。コネクタ１ｄには、ＣＰＵ１ｂへと繋がるから信号線と、変換装置１の電力線とが備えられている。コネクタ２ｄには、ＣＰＵ２ｂへと繋がる信号線と、電源装置２ｅからの電力線とが備えられている。コネクタ１ｄ、2ｄの結合により、ＣＰＵ１ｂとＣＰＵ２ｂとは信号線で接続されて通信可能となり、変換装置１の電力線が電源装置２ｅに接続されて変換装置１は本体の電源装置２ｅからの電力供給を受ける。
【００２２】
バックアップ電源装置１ｅは、変換装置１が電波修正時計１０から取り外される等して電力供給を断たれたときに内部時計の計時を維持するための電力を供給するために備えられる。なお、内部時計の計時を維持せず、変換装置１への電力供給が再開されたときに、標準電波を受信して内部時計の計時する時刻を日本標準時に同期させるようにして、バックアップ電源装置１ｅを省いた構成としてもよい。
【００２３】
操作部１ｆは、図示しないスイッチを備え、使用者がスイッチを操作することにより、後述する強制的に時刻修正タイミングとするためのものである。
【００２４】
時計機械体２ａは、図示しないが、モータと、このモータの回転を減速して時針、分針を駆動するための輪列と、時針、分針の位置を検出するセンサと、モータ、センサのそれぞれを駆動するそれぞれの駆動回路と、を備える。これら駆動回路は、時刻修正の際にはＣＰＵ２ｂの指令する目的の時刻に応じて時針、分針を目的の時刻を示す位置まで早送りして時刻修正をする。
【００２５】
ＣＰＵ２ｂは、所定の時刻に時刻修正動作を行うものである。ＣＰＵ２ｂは、後述するコネクタ２ｄに備えられた信号線の状態を監視して変換装置１が電波修正時計１０の本体に装着されているか否かを監視する。ＣＰＵ２ｂは、変換装置１が電波修正時計１０の本体に装着されているときには、ＣＰＵ１ｂからの時刻情報を受けて、これに基づき図示しない内部時計としてのＲＴＣにより計時される時刻の修正を行う。
【００２６】
ＣＰＵ２ｂは、変換装置１が電波修正時計１０の本体に装着されていないときには、無線受信ブロック２ｃを受信動作として、無線受信ブロック２ｃからの受信データを処理して変換装置１からの電波に重畳されていた時刻情報を特定し、取得して、この時刻情報に基づき内部時計の時刻修正を行う。
【００２７】
無線受信ブロック２ｃは、ＣＰＵ２ｂの指令により受信動作を行い、変換装置１からの電波を受信し、復調して得た受信データをＣＰＵ２ｂに出力するものである。
【００２８】
操作部２ｆは、図示しないスイッチを備え、使用者がスイッチを操作することにより、後述する各種設定を行うためのものである。ＣＰＵ２ｂはスイッチの操作状態に応じて各種設定をＲＡＭに格納し、その後の制御動作に用いる。
【００２９】
表示部２ｇは、変換装置１が標準電波を受信して標準時と同期した時刻情報を取得できたか否かを示すものである。
【００３０】
図２は、変換装置１を電波修正時計１０の本体から取り外して使用するときの回路構成を示すブロック図である。この場合、変換装置１は、外部電源装置３に装着され、外部電源装置３から電力供給を受ける。外部電源装置３は、電源装置３ａと、コネクタ３ｂを備える。
【００３１】
コネクタ３ｂは、変換装置１が外部電源装置３に装着されているときにコネクタ１ｄと結合される。コネクタ３ｂには、電源装置３ａからの電力線が備えられている。コネクタ１ｄ、３ｂの結合により、変換装置１の電力線が電源装置３ａに接続されて変換装置１は本体の電源装置３ａからの電力供給を受ける。電源装置３ａは、電源装置２ｅからの電力と同様の規格の電力を変換装置１に供給するものであれば良く、電池又は商用電源から上記規格の電力を取り出す電源回路からなる。
【００３２】
図３（ａ）は、電波修正時計１０の背面外観の概略を示す図であり、時計文字板１０ａの背面に時計部２が設けられ、時計部２に着脱自在に変換装置１が取り付けられている。この取り付けのため、コネクタ１ｄ、2ｄを、互いに着脱自在に結合されるように構成してある。
【００３３】
図３（ｂ）は、変換装置１が電波修正時計１０から分離された状態の概略を示す図であり、変換装置１が時計文字板１０ａの背面の時計部２から取り外され、外部電源装置３に着脱自在に変換装置１が取り付けられた状態を示している。この取り付けのため、コネクタ１ｄ、３ｂを、互いに着脱自在に結合されるように構成してある。
【００３４】
また、図４に示すように、本実施の形態の電波修正時計１０は、複数の電波修正時計１０−１、１０−２、１０−３を用いて、少なくとも１つの電波修正時計１０−１を他の電波修正時計１０−２への時刻情報の中継装置として用いることも可能である。
【００３５】
次に本実施の形態の電波修正時計１０の動作について、図５、６のフローチャートを参照しながら説明する。図５のフローチャートは、時計部２のＣＰＵ２ｂの制御動作を示してあり、図６のフローチャートは変換装置１のＣＰＵ２ｂの制御動作を示してある。
【００３６】
フローチャートとして図示しないが、電波修正時計１０を使用する際、使用者は操作部２ｆのスイッチを操作し、他の電波修正時計１０に時刻情報を送信するのか、他の電波修正時計１０からの時刻情報を受信するのか、などの設定を行う。初期設定の内容はＣＰＵ２ｂを介してＣＰＵ１ｂに出力され、変換装置１に設定される。例えば、他の電波修正時計１０に時刻情報を送信する設定の際は、初期設定された送信タイミングから、所定の期間、例えば、１時間だけずらした送信タイミングにも時刻情報を送信するような設定をＣＰＵ１ｂはＲＡＭに格納し、後の制御に用いる。そうして、他の電波修正時計１０からの時刻情報を受信する設定の際には、このように初期設定された送信タイミング以外の送信タイミングにあわせて無線受信ブロック２ｃの受信動作をするような設定をＣＰＵ２ｂはＲＡＭに格納し、後の制御に用いる。なお、このような２段の時刻情報の中継に限らず、各電波修正時計１０において、それぞれの中継の段数にあわせて送信タイミング及びその受信タイミングを初期設定された送信タイミングから設定するようにしてもよく、このような設定については、特許文献１に開示される中継技術を適用すればよい。
【００３７】
先ず、図１、図３（ａ）に示すように変換装置１を本体に装着した状態で電波修正時計１０を単体で用いる場合について説明する。
【００３８】
時計部２のＣＰＵ２ｂは、所定の時刻修正のタイミングとなったか否か確認する（ステップＳ５１）。所定の時刻修正のタイミングとは、例えば、午前２時０分等の所定の時刻や、最初に電源を投入してリセットがかけられたときや、操作部２ｆのスイッチが操作されて強制的に時刻修正タイミングとされたときである。通常、ＣＰＵ２ｂは内部時計が所定の時刻となったか否かを確認する。
【００３９】
ＣＰＵ２ｂは、所定の時刻修正のタイミングになると、変換装置１が装着されているか否かを確認する（ステップＳ５２）。例えば、ＣＰＵ２ｂはコネクタ１ｄ、２ｄを介してＣＰＵ１ｂに繋がる信号線の状態から、確認するようにすればよい。変換装置１が装着されていれば、変換装置１のＣＰＵ１ｂからの時刻情報を待つ（ステップＳ５３）。
【００４０】
ＣＰＵ２ｂは、コネクタ１ｄ、2ｄを介した信号線にてＣＰＵ１ｂからの時刻情報を受け取ると、これに基づいて内部時計の計時する時刻を修正する（ステップＳ５４）。ＣＰＵ１ｂからの時刻情報は、例えば、年、月、時、分、秒、曜日の含む時刻データで、所定の期間、時刻データの一部を変換装置１の内部時計の秒と同期してＣＰＵ１ｂからＣＰＵ２ｂへ毎秒送られる。ＣＰＵ２ｂは、この時刻データを内部時計としてのＲＴＣにセットして時刻データを同期信号として秒同期を取って内部時計の時刻修正を行う。なお、この時刻修正動作については、時刻データの一部を同期信号とするのに限らず、別途同期信号を送るようにしする等、適宜に変更可能である。
【００４１】
内部時計の時刻修正が完了すると、ステップＳ５２以降の一連の処理は終わり、ステップＳ５１の修正タイミングとなったか否かの割り込み処理が行われる。
【００４２】
一方、変換装置１のＣＰＵ１ｂは、図６のフローチャートに示すように動作し、所定の時刻修正のタイミングとなったか否か確認する（ステップＳ６１）。この時刻修正のタイミングは、ＣＰＵ２ｂの扱うタイミングと同じものであり、特に所定の時刻修正のタイミングの時刻は同じ時刻に設定してある。
【００４３】
また、これ以外の時刻修正のタイミングとしては、変換装置１が本体に装着された状態で最初に電源を投入してリセットがかけられたときがある。また、操作部１ｆのスイッチが操作されて強制的に時刻修正タイミングとされる。また、変換装置１が本体に装着された状態で操作部２ｆのスイッチが操作されて強制的に時刻修正タイミングとされたときには、信号線を介してＣＰＵ２ｂからＣＰＵ１ｂにその指令が送られ、ＣＰＵ１ｂはこれに応答して時刻修正のタイミングとする。
【００４４】
ＣＰＵ１ｂは、時刻修正タイミングとなると、ＶＬＦ受信ブロック１ｃを起動する（ステップＳ６２）。ＶＬＦ受信ブロック１ｃは、４０ＫＨｚ、６０ＫＨｚの標準電波の内の初期設定されたものから順次所定の期間の試験的な受信動作を行う。ここで、両方の標準電波の受信動作で基準レベル以上の信号が得られたときには初期設定された方の標準電波を選択し、一方の標準電波の受信動作で基準レベル以上の信号が得られたときにはその標準電波を選択して受信動作を行い、受信動作で得られた信号をコード化した受信データをＣＰＵ１ｂに出力する。
【００４５】
ＣＰＵ１ｂは、受信データが標準電波のタイムコードのフォーマットに対応しているか否かを評価する（ステップＳ６３）。ＣＰＵ１ｂは、受信データがタイムコードに対応するものであれば年、月、時、分、曜日等の時刻情報を取得する。
【００４６】
ＣＰＵ１ｂは、取得した時刻情報を変換装置１の内部時計としてのＲＴＣにセットして、日本標準時の秒と同期が取られたタイムコードの各ビットを同期信号として秒同期を取って内部時計の時刻修正を行う（ステップＳ６４）。
【００４７】
時刻修正が完了すると、ＣＰＵ１ｂは、変換装置１が本体に装着されているか否かを確認する（ステップＳ６５）。例えば、ＣＰＵ１ｂはコネクタ１ｄ、２ｄを介してＣＰＵ２ｂに繋がる信号線の状態から、確認するようにすればよい。
【００４８】
ＣＰＵ１ｂは、変換装置１が本体に装着されているときには、所定の期間、時刻情報から時刻データを生成し、そのデータの一部、例えば、後端を変換装置１の内部時計の秒と同期して信号線を介してＣＰＵ２ｂへ毎秒送る（ステップＳ６６）。ＣＰＵ２ｂは、ステップＳ５３の処理でこの時刻情報を受け取り、ステップＳ５４の処理でこの時刻情報を用いて時刻修正を行う。
【００４９】
ＣＰＵ１ｂは、ステップＳ６６の処理が終了すると、ステップＳ６２以降の一連の処理を完了し、ステップ６１の修正タイミングとなったか否かの割り込み処理を行う。
【００５０】
ＣＰＵ１ｂは、ステップ６１の処理で修正タイミングでないとすると、時刻情報の送信タイミングか否かの確認処理を行う（ステップＳ６７）。これは、図４に示すように電波修正時計１０−１を他の電波修正時計１０−２への時刻情報の中継装置として用いるときに、他の電波修正時計１０に時刻情報を送信するタイミングとなったか否かの確認処理である。例えば、ＣＰＵ１ｂは、そのような送信タイミング設定されているか否か、ＲＡＭの内容を確認し、そのような設定になっていれば、内部時計の時刻がそのような送信タイミングとなったか否か確認する。
【００５１】
ＣＰＵ１ｂは、送信タイミングとなると、後述するように無線送信ブロック１ｃから時刻情報を送信させる（ステップＳ６８）。ここでは、そのような設定になっていないものとする。
【００５２】
なお、変換装置１のＣＰＵ１ｂはＶＬＦ受信ブロック１ａによる受信動作を所定期間続けても標準電波を受信して時刻情報を取得することができない場合、コネクタ１ｄ、2ｄを介した信号線によりＣＰＵ２ｂに受信不能信号を送る。ＣＰＵ２ｂは受信不能信号を受け取った場合、標準電波を受信して時刻情報を取得することができないことを表示部２ｇに表示させる。これにより、使用者は、電波修正時計１０を設置しようとする場所が標準電波の受信に適当か否かを判断できる。
【００５３】
次に図２、図３（ｂ）に示すように変換装置１を本体から分離した状態で電波修正時計１０を用いる場合について説明する。この場合、変換装置１は、標準電波が受信可能な場所に設置した外部電源装置３に装着され、この外部電源装置３から電力供給を受ける。また、電波修正時計１０は、変換装置１から送信される電波が受信可能な場所に設置される。
【００５４】
時計部２のＣＰＵ２ｂは、時刻修正タイミングになったことを確認すると（ステップＳ５1）、変換装置１が装着されているか否かを確認する（ステップＳ５２）。ここで、変換装置１が装着されていないことを確認すると、無線受信ブロック２ｃを起動する（ステップＳ５５）。
【００５５】
無線受信ブロック２ｃは、変換装置１からの電波を受信し、受信動作で得られた信号をコード化した受信データをＣＰＵ２ｂに出力する。
【００５６】
ＣＰＵ２ｂは、受信データが変換装置１から送信された時刻データのフォーマットに対応しているか否かを評価する（ステップＳ５６）。ＣＰＵ２ｂは、受信データが時刻データに対応するものであれば年、月、時、分、秒、曜日等の時刻情報を取得する。
【００５７】
ＣＰＵ２ｂは、取得した時刻情報を電波修正時計１０の本体の内部時計としてのＲＴＣにセットして、変換装置１の内部時計の秒と同期が取られた時刻データを同期信号として秒同期を取って本体の内部時計の時刻修正を行う（ステップＳ５７）。
【００５８】
ＣＰＵ２ｂは、内部時計の時刻修正が完了すると、ステップＳ５２以降の一連の処理は終わり、ステップＳ５１の修正タイミングとなったか否かの割り込み処理が行われる。
【００５９】
一方、変換装置１のＣＰＵ１ｂは、上述したように所定の時刻修正のタイミングとなったか否か確認し（ステップＳ６１）、ＶＬＦ受信ブロック１ｃを起動し（ステップＳ６２）、標準電波を受信したＶＬＦ受信ブロック１ｃの受信データから時刻情報を取得し（ステップＳ６３）、この時刻情報に基づいて内部時計の時刻を修正する（ステップＳ６４）。
【００６０】
時刻修正が完了すると、ＣＰＵ１ｂは、変換装置１が本体に装着されているか否かを確認する（ステップＳ６５）。ここで、変換装置１が本体に装着されていないと、ＣＰＵ１ｂは、無線送信ブロック１ｃを起動し、内部時計の計時する時刻に基づく時刻情報を送信させる。ここで、ＣＰＵ１ｂは、所定期間に毎秒、内部時計の計時する時刻に基づいて独自のフォーマットの時刻データを生成し、無線送信ブロック１ｃは、生成された時刻データの一部を内部時計の計時する秒に同期して４２６ＭＨｚ等の特定小電力無線で送信する（ステップＳ６９）。
【００６１】
このとき、電波修正時計１０の本体側では、ＣＰＵ２ｂは、ステップ５６の処理で無線受信ブロック２ｃからの受信データを処理し、受信データが無線送信ブロック１ｃから送信された時刻データであることが確認できると、この時刻データに含まれる時刻情報により時刻修正を行う。
【００６２】
ＣＰＵ１ｂは、ステップＳ６８の処理が終了すると、ステップＳ６２以降の一連の処理を完了し、ステップ６１の修正タイミングとなったか否かの割り込み処理を行う。
【００６３】
次に、図４に示すように、電波修正時計１０−１を他の電波修正時計１０−２への時刻情報の中継装置として用いる場合の動作について説明する。
【００６４】
電波修正時計１０−１の時計部２のＣＰＵ２ｂは、時刻修正タイミングになったことを確認すると（ステップＳ５1）、変換装置１が装着されているか否かを確認する（ステップＳ５２）。ここで、変換装置１が装着されていることを確認すると、変換装置１のＣＰＵ１ｂからの時刻情報を待つ（ステップＳ５３）。ここで、電波修正時計１０−１に装着された変換装置１は標準電波を受信できないとする。この場合、変換装置１のＣＰＵ１ｂからＣＰＵ２ｂへの時刻情報の出力はなく、ＣＰＵ２ｂは、無線受信ブロック２ｃを起動する（ステップＳ５８）。
【００６５】
無線受信ブロック２ｃは、ここでは、外部電源装置３に装着された変換装置１からの電波を受信し、受信動作で得られた信号をコード化した受信データをＣＰＵ２ｂに出力する。
【００６６】
ＣＰＵ２ｂは、ステップＳ５６の処理と同様に受信データが変換装置１から送信された時刻データのフォーマットに対応しているか否かを評価する（ステップＳ５９）。ＣＰＵ２ｂは、受信データが時刻データに対応するものであれば年、月、時、分、秒、曜日等の時刻情報を取得する。
【００６７】
ＣＰＵ２ｂは、ステップＳ５７の処理と同様に取得した時刻情報に基づき本体の内部時計の時刻修正を行う（ステップＳ５Ａ）。
【００６８】
次にＣＰＵ２ｂは、時刻情報の中継装置としての設定がされているか否かを確認する（ステップＳ５Ｂ）。ＣＰＵ２ｂは、そのような設定がされているか否か、ＲＡＭの内容を確認し、そのような設定になっていれば、無線受信ブロック２ｃからの受信データにより時刻修正された内部時計の計時する時刻に基づき時刻データを生成し、所定の期間、そのデータの一部、例えば、後端を内部時計の秒と同期して信号線を介してＣＰＵ１ｂへ毎秒送る（ステップＳ５Ｃ）。
【００６９】
ＣＰＵ２ｂは、ステップＳ５Ｃの処理が終了すると、ステップＳ５２以降の一連の処理を完了し、ステップ５１の時刻修正タイミングとなったか否かの割り込み処理を行う。
【００７０】
一方、変換装置１のＣＰＵ１ｂは、上述したように所定の時刻修正タイミングとなったか否か確認し（ステップＳ６１）、ＶＬＦ受信ブロック１ｃを起動し（ステップＳ６２）、標準電波の受信を試みる。ＶＬＦ受信ブロック１ｃの受信データから時刻情報を取得できない（ステップＳ６３）と、時計部２のＣＰＵ２ｂからの時刻情報を待つ（ステップＳ６Ａ）。ＣＰＵ２ｂがステップＳ５Ｃの処理により時刻情報をＣＰＵ１ｂに送ると、ＣＰＵ１ｂは、取得した時刻情報を変換装置１の内部時計としてのＲＴＣにセットして、電波修正時計１０−１の本体の内部時計の秒と同期が取られた時刻データを同期信号として秒同期を取って変換装置１の内部時計の時刻修正を行う（ステップＳ６Ｂ）。
【００７１】
ＣＰＵ１ｂは、内部時計の時刻修正が完了すると、ステップＳ６２以降の一連の処理は終わり、ステップＳ６１の修正タイミングとなったか否かの割り込み処理が行われる。
【００７２】
ＣＰＵ１ｂは、ステップ６１の処理で修正タイミングでないとすると、時刻情報の送信タイミングか否かの確認処理を行う（ステップＳ６７）。上述の通り、ＣＰＵ１ｂは、そのような送信タイミング設定されているか否か、ＲＡＭの内容を確認し、そのような設定になっていれば、内部時計の時刻がそのような送信タイミングとなったか否か確認する。送信タイミングとしては、例えば、電波修正時計１０−１を電波修正時計１０による中継を最初の階層の中継とすれば、電波修正時計１０−１の時刻修正のタイミングから１時間後に電波修正時計１０−１の送信タイミングを定める。電波修正時計１０−２の２番目の階層の中継のための送信タイミングは、電波修正時計１０−１の送信タイミングから１時間後に設定する。なお、電波修正時計１０−３に変換装置１を装着してさらに中継するような場合、電波修正時計１０−２の送信タイミングからさらに１時間後の送信タイミングを設定する等すればよい。このような中継の要否及び中継の階層の設定は操作部２１の図示しないスイッチの操作状態をＣＰＵ２ｂで確認し、本体のＲＡＭに設定値を格納し、本体の設定値をＣＰＵ１ｂに送り、変換装置１のＲＡＭに格納するものとする。
【００７３】
なお、このように時刻情報を同一の周波数帯の電波で中継の階層毎に送信タイミングを変えつつ、すなわち、時分割送信するのに限らず、送信のタイミングを固定として中継の階層毎に送信に使用する電波の周波数帯を変更するようにしてもよい。
【００７４】
ＣＰＵ１ｂは、送信タイミングとなると、ステップＳ６９の処理と同様の電波、時刻データのフォーマットにて無線送信ブロック１ｃから時刻情報を送信させる（ステップＳ６８）。
【００７５】
一方、電波修正時計１０−２のＣＰＵ２ｂでは上述の中継の要否、階層等の設定により、この送信タイミングを時刻修正タイミングとしてあり、ステップＳ５１の処理でこの時刻修正タイミングを確認すると、以降の処理を行い、ステップＳ５８の処理で、無線受信ブロック２ｃを起動する。
【００７６】
無線受信ブロック２ｃは、電波修正時計１０−１の変換装置１から送信される電波を受信して受信データをＣＰＵ２ｂに出力する。
【００７７】
ＣＰＵ２ｂは、ステップＳ５９の処理で受信データから時刻情報を取得すると、ステップＳ５Ａの処理で内部時計の時刻を修正する。
【００７８】
ＣＰＵ２ｂは、ステップＳ５Ｂの処理で時刻情報の中継装置としての設定がされていることを確認し、ステップＳ５Ｃの処理で装着された変換装置１に時刻情報を送る。
【００７９】
電波修正時計１０−２の本体に装着された変換装置１についても、電波修正時計１０−１の送信タイミングを時刻修正タイミングとしてあり、ＣＰＵ１ｂは、ステップＳ６１の処理において、時刻修正タイミングとなったことを確認すると、以降の処理を行い、ステップＳ６Ａの処理で本体からの時刻情報を取得し、この時刻情報に基づくステップＳ６Ｂの処理で内部時計を修正する。ＣＰＵ１ｂは、ステップＳ６７の処理で時刻情報の送信タイミングになったことを確認すると、ステップＳ６８の処理で時刻情報を送信する。
【００８０】
電波修正時計１０−２の本体に装着された変換装置１の送信タイミングは、電波修正時計１０−３の時刻修正タイミングと設定されてあり、電波修正時計１０−３のＣＰＵ２ｂも電波修正時計１０−２と同様に変換装置１により中継された時刻情報に基づいて内部時計を修正する。
【００８１】
以上のように、本発明の電波修正時計１０によれば、１台の電波修正時計１０を使用しても、電波修正時計１０本体を所望の場所に設置し、標準電波の受信状況により変換装置１の設置場所を適宜変更することにより、電波修正時計１０本体を正確に時刻修正することが可能となる。また、図４に示すように、電波修正時計１０は変換装置１を装着した状態では、時刻情報の中継装置として動作させることができる。また、変換装置１を取り外した電波修正時計１０は、中継経路の末端の電波修正時計１０−３として使用可能となる。
【００８２】
このように本発明によれば、標準電波を受信できないような場所に設置しても標準電波を直接受信して時刻修正を行う電波修正時計に準ずる機能を備え、実質的に一つの製品として扱うことが可能な電波修正時計を提供することができる。
【図面の簡単な説明】
【００８３】
【図１】本発明の実施の形態にかかる電波修正時計の回路構成を示すブロック図である。
【図２】図１に示す電波修正時計の変換装置を外部電源装置に装着したときの回路構成を示すブロック図である。
【図３】図１に示す電波修正時計の変換装置の装着、分離の状態を示す模式図である。
【図４】図１に示す電波修正時計を複数使用して時刻情報の中継する形態を示した模式図である。
【図５】図１に示す電波修正時計の本体の制御処理の概要を示すフローチャートである。
【図６】図１に示す電波修正時計の変換装置の制御処理の概要を示すフローチャートである。
【符号の説明】
【００８４】
１０  電波修正時計
１    変換装置
１ａ  ＶＬＦ受信ブロック（変換装置）
１ｂ  ＣＰＵ（変換装置）
１ｃ  無線送信ブロック（変換装置）
２    時計部(時刻修正部)
２ｂ  ＣＰＵ（時刻修正部）
２ｃ  無線受信ブロック(受信装置)
２ｇ  表示部
３    外部電源装置(電源供給装置)
【図１】
2008196986.tif 000003
【図２】
2008196986.tif 000004
【図３】
2008196986.tif 000005
【図４】
2008196986.tif 000006
【図５】
2008196986.tif 000007
【図６】
2008196986.tif 000008